(57)【要約】【課題】  電子端末がネットワークを構築する電子機器の能力を最大限に活用することに寄与でき、使い勝手を向上させることができるネットワーク技術を提供すること。【解決手段】  本発明では、前記記録再生装置に情報を送信し、前記記録再生装置からの情報を受信する通信インターフェイスと、前記記録再生装置からの情報を表示する表示部と、前記電子端末を制御する制御部とを備え、別の電子端末が接続されている記録再生装置に前記電子端末を接続する場合には、前記記録再生装置と前記接続されている別の端末との間の通信状況に関する情報を受信し、前記表示部に前記通信状況に関する情報を表示する電子端末とする。【選択図】  図１
2005277622.tif 000002
【特許請求の範囲】
【請求項１】
接続されている記録再生装置からの情報を処理する電子端末において、
前記記録再生装置に情報を送信し、前記記録再生装置からの情報を受信する通信インターフェイスと、
前記記録再生装置からの情報を表示する表示部と、
前記電子端末を制御する制御部とを備え、
別の電子端末が接続されている記録再生装置に前記電子端末を接続する場合には、前記記録再生装置と前記接続されている別の端末との間の通信状況に関する情報を受信し、前記表示部に前記通信状況に関する情報を表示することを特徴とする電子端末。
【請求項２】
請求項１記載の電子端末において、
前記記録再生装置から前記別の端末へ情報を送信できない場合には、前記記録再生装置から情報を送信できないことを示す情報を受信し、前記表示部に前記情報を送信できないことを示す情報を表示することを特徴とする電子端末。
【請求項３】
請求項１記載の電子端末において、
前記別の端末が接続されていることを示す情報を受信し、前記表示部に前記別の端末が接続されていることを示す情報を表示することを特徴とする電子端末。
【請求項４】
請求項１に記載の電子端末において、
前記記録再生装置の通信インターフェイスを介して前記別の端末と情報の送受信が可能なことを特徴とする電子端末。
【発明の詳細な説明】
【技術分野】
【０００１】
本発明は、通信技術を用いてデータの送受信が可能なネットワーク技術に関するものである。
【背景技術】
【０００２】
一般的なネットワーク技術においては、主となる電子機器に複数の電子端末を接続して電子端末を使用する際、その主となる電子機器がその他の電子端末を管理・操作をおこなっていた。
【０００３】
例えば、主となる電子機器から電子端末に対して特定のメッセージを通知したり、他の電子端末が新たに接続されたことを既に主となる電子機器に接続されている電子端末に通知するネットワーク技術が知られている。（例えば、特許文献１及び特許文献２参照）
【特許文献１】特開平７−１４３１７５号公報
【特許文献２】特開平８−３２１８８４号公報
【発明の開示】
【発明が解決しようとする課題】
【０００４】
上記従来技術では、主となる電子機器から接続されている電子端末を管理することはできても、電子端末側から主となる電子機器に対して受信するデータの転送レートの変更等の通信状況を設定することはできないので、使い勝手が悪い。本発明の目的は、電子端末がネットワークを構築する電子機器の能力を最大限に活用することに寄与でき、使い勝手を向上させることができるネットワーク技術を提供することにある。
【課題を解決するための手段】
【０００５】
本発明では、前記記録再生装置に情報を送信し、前記記録再生装置からの情報を受信する通信インターフェイスと、前記記録再生装置からの情報を表示する表示部と、前記電子端末を制御する制御部とを備え、別の電子端末が接続されている記録再生装置に前記電子端末を接続する場合には、前記記録再生装置と前記接続されている別の端末との間の通信状況に関する情報を受信し、前記表示部に前記通信状況に関する情報を表示する電子端末とする。
【０００６】
好ましくは、前記記録再生装置から前記別の端末へ情報を送信できない場合には、前記記録再生装置から情報を送信できないことを示す情報を受信し、前記表示部に前記情報を送信できないことを示す情報を表示することとする。
【０００７】
また、好ましくは、前記別の端末が接続されていることを示す情報を受信し、前記表示部に前記別の端末が接続されていることを示す情報を表示することとする。
【０００８】
また、好ましくは、前記記録再生装置の通信インターフェイスを介して前記別の端末と情報の送受信ができるようにする。
【発明の効果】
【０００９】
本発明によれば、電子端末がネットワークを構築する電子機器の能力を最大限に活用することに寄与でき、ユーザの使い勝手を向上させることができる。
【発明を実施するための最良の形態】
【００１０】
以下、本発明を適用した実施例について説明する。
【実施例１】
【００１１】
図１は本実施例のネットワークの構築例を示す図である。
図１において、ハードディスクレコーダー１０１は通信機能を有しており、本実施例のネットワークにおいて主たる電子機器としての役割を果たす。モニターＡ１０２は、ハードディスクレコーダー１０１に接続可能な通信機能を有しており、本実施例のネットワークにおいて電子端末の役割を持っている。ハードディスクレコーダー１０１には、モニターＡ１０２の他に、モニターＢ１０３、モニターＣ１０４も接続されている。アンテナ・チューナー１０５は、外部よりＡＶ（Ａｕｄｉｏ  Ｖｉｓｕａｌ）データを受信し、通信路１０９を介してハードディスクレコーダー１０１にＡＶデータを送信する。
【００１２】
ハードディスクレコーダー１０１は、通信インターフェイス１１０がアンテナ・チューナー１０５から送信されてくるＡＶデータを受信し、ハードディスクドライブ（ＨＤＤ）１１２に転送する。ＨＤＤ１１２はＡＶデータを記録媒体であるハードディスクに記録し、保存する。モニターＡ１０２、モニターＢ１０３及びモニターＣ１０４とは、通信インターフェイス１１３を介してＡＶデータを含む各種データの送受信を行う。以上説明した動作は、制御部１１１の制御の下で実行される。
【００１３】
モニターＡ１０２は、通信インターフェイス１１４を介してＡＶデータを含む各種データの送受信が可能である。通信インターフェイス１１４を介して受信したＡＶデータは、出力部１１７で表示部１１８上に表示できる形式に変換され、表示部１１８にＡＶデータを表示する。管理部１１６は、モニターＡ１０２とハードディスクレコーダー１０１との通信状況を管理する。モニターＡ１０２は、コントローラー１１５の制御の下で、以上説明した動作を実行する。ユーザは、入力部１１９を操作することによりモニターＡ１０２を操作することができる。この入力部１１９は、モニターＡ１０２に操作ボタンやキーボード等を搭載することで構成してもよいし、リモコンによる操作信号を受信する受信回路であってもよい。なお、モニターＢ１０３及びモニターＣ１０５は、モニターＡ１０２と同様の構成を備えている。また、通信路１０６〜１０９は、有線であっても無線であってもよい。制御部１１１、コントローラー１１５、管理部１１６及び出力部１１８は、ハードウェアとして専用の回路で構成してもよいし、メモリを有するＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等がプログラムを実行するようなソフトウェアとして構成してもよい。
【００１４】
ハードディスクレコーダー１０１に接続した複数のモニターＡ１０２、モニターＢ１０３及びモニターＣ１０４では、ハードディスクレコーダー１０１の通信インターフェイス１１３とモニターＡ１０２（モニターＢ１０３もモニターＣ１０４も同様）の通信インターフェイス１１４が通信路１０６、１０７及び１０８によって接続されているので、ハードディスクレコーダー１０１のＨＤＤ１１２に保存されているＡＶデータを表示することが可能である。また、ハードディスクレコーダー１０１の通信インターフェイス１１３を介して通信することで、モニターＡ１０２、モニターＢ１０３及びモニターＣ１０４間のデータの送受信も可能である。
【００１５】
モニターＡ１０２は、モニターＢ１０３、モニターＣ１０４の要求に応じて、管理部１１６において管理しているハードディスクレコーダー１０１とモニターＡ１０２自身との通信状況を、コントローラー１１５の制御により、モニターＢ１０３、モニターＣ１０４に公開することができる。モニターＢ１０３、モニターＣ１０４においても同様である。また、モニターＡ１０２は、管理部１１６にある通信状況をモニターＢ１０３、モニターＣ１０４に閲覧させるだけではなく、コントローラー１１５の制御によって通信の状況をモニターＢ１０３、モニターＣ１０４に伝えることできる。モニターＢ１０３、モニターＣ１０４においても同様である。従って、各モニターは、他のモニターの通信状況を把握することができる。また、モニター内のコントローラーの制御により、他のモニターに対して通信状況の変更を求めるコミュニケーションを図ることができるので、通信状況によってＡＶデータの再生手法を変更することが可能である。
【００１６】
なお、通信状況とは、本実施例では、モニターに表示させるＡＶデータの種類、そのＡＶデータの転送レート、ＡＶデータの再生順番プログラム、ハードディスクレコーダー１０１への接続時間、接続予想時間、通信路の伝送容量等を指すものとする。
【００１７】
例えば、既にモニターＢ１０３とモニターＣ１０４が接続されているハードディスクレコーダー１０１にモニターＡ１０２を接続する際、コントローラー１１５の制御により、通信インターフェイス１１４、通信路１０６、通信インターフェイス１１３及び通信路１０７、１０８を通じてモニターＢ１０３、モニターＣ１０４に接続した旨の通知を行い、モニターＡ１０２の接続を開始したことを伝える。
【００１８】
また、接続確立ができた場合には、モニターＡ１０２は、コントローラー１１５の制御により、接続が確立できた旨の通知及びモニターＢ１０３とモニターＣ１０４がハードディスクレコーダー１０１に接続されている旨の通知を表示部１１８に表示させる。また、モニターＡ１０２は、モニターＢ１０３、モニターＣ１０４のそれぞれが持つ管理部で管理されているＡＶデータの種類、ＡＶデータの転送レート、ＡＶデータの再生順番プログラム等の通信状況を参照して、自らの通信状況を入力部１１９を用いて設定可能である。一方、モニターＡ１０２は、ハードディスクレコーダー１０１の制御部１１１からデータを入手することにより、ハードディスクレコーダー１０１の通信処理能力の限界を知ることができる。本実施例では、既にハードディスクレコーダー１０１に接続されているモニターＢ１０３、モニターＣ１０４のユーザの配慮により、ＡＶデータ数の数を減らしたりＡＶデータの転送レートを変更したりすることが可能となるので、ハードディスクレコーダー１０１に接続可能なモニターの数を増やすことが可能となる。
【００１９】
例えば、ハードディスクレコーダー１０１が保存部１１２にあるＡＶデータを最高画質で２種類同時に再生可能な処理能力をもっていたとし、すでにモニターＢ１０３とモニターＣ１０４に最高画質でそれぞれ別のＡＶデータを出力していて、これ以上のＡＶデータのモニターへの出力が行えない状況で、モニターＡ１０２が接続要求をハードディスクレコーダー１０１に行った場合、ハードディスクレコーダー１０１の制御部１１１による制御が働き、接続できない旨の通知がモニターＡ１０２になされる。
【００２０】
その際、モニターＡ１０２のユーザは、入力部１１９の操作により、
(1)そのまま接続を終了するか、
(2)モニターＢ１０３、モニターＣ１０４の管理部に管理されている通信状況の情報を閲覧するか、
(3)モニターＢ１０３、モニターＣ１０４のユーザに対して交渉要求を行うか、
を選択する。
【００２１】
モニターＡ１０２のユーザが接続の終了を選択した場合は、ハードディスクレコーダー１０１との接続を終了する。モニターＡ１０２のユーザがモニターＢ１０３、モニターＣ１０４の管理部で管理されている通信状況の情報の閲覧を選択した場合は、モニターＢ１０３、モニターＣ１０４に出力しているＡＶデータの種類、そのＡＶデータの転送レート、ＡＶデータの再生順番プログラム、ハードディスクレコーダー１０１への接続時間、接続予想時間等の通信状況の情報を表示する。モニターＢ１０３、モニターＣ１０４のユーザに対して交渉要求を行う場合の動作については後述する。
【００２２】
その際、モニターＡ１０２のユーザは、表示部１１８に表示されている通信状況の情報を閲覧することで、
(1)ハードディスクレコーダー１０１との接続を終了するか、
(2)モニターＢ１０３、モニターＣ１０４のどちらかのＡＶデータ再生の状態と全く同じ状態で接続を行うか、
(3)モニターＢ１０３、モニターＣ１０４のユーザに対して交渉要求を行うか、
を入力部１１９を操作することにより選択する。
【００２３】
モニターＡ１０２のユーザが接続の終了を選択した場合は、ハードディスクレコーダー１０１との接続を終了する。モニターＢ１０３、モニターＣ１０４のどちらかのＡＶデータ再生の状態と全く同じ状態で接続を行うことを選択した場合は、コントローラー１１５は、ハードディスクレコーダー１０１の制御部１１１に対してその旨を通知する。通知を受けたハードディスクレコーダー１０１は、制御部１１１の制御の下、選択したＡＶデータをモニターＡ１０２にも出力する。
【００２４】
モニターＡ１０２のユーザがモニターＢ１０３、モニターＣ１０４のユーザとの交渉要求を選択した場合には、モニターＡ１０２は、コントローラー１１５の制御の下、入力部１１９により入力した要求内容を、通信インターフェイス１１４、通信路１０６、通信インターフェイス１１３、通信路１０７及び通信路１０８を介してモニターＢ１０３、モニターＣ１０４に送信する。要求を受けたモニターＢ１０３、モニターＣ１０４のユーザは、その要求を許可するか、拒否をするかを、入力部を操作することにより選択する。許可した場合、許可したユーザのモニターから通信インターフェイス、通信路を介してモニターＡ１０２に許可通知を送信する。そして、各モニターのコントローラーを使用して、モニターＡ１０２と許可通知を発したモニターとの間で通信インターフェイス１１３を介して交渉を開始する。いずれのユーザも要求を拒否した場合には、モニターＡ１０２に拒否通知が送信され、表示部１１８に表示される。要求を拒否されたモニターＡ１０２のユーザーは、ハードディスクレコーダー１０１の接続を終了するか、モニターＢ１０３、モニターＣ１０４のどちらかのＡＶデータ再生の状態と全く同じ状態で接続を行う。
【００２５】
なお、主たる電子機器はハードディスクレコーダー１０１に限定されるものではなく、電子端末もモニターに限定されるものではない。また、通信路１０６−１０８は１つの通信路を使用しても、装置間の通信を行うための専用路と記録データの再生のための専用路を使用しても良い。また、無線、有線でもよく、その伝送形式は問わない。また、通信路１０６〜１０８はコントローラー１１５はモニターＡ１０２内部に搭載されていてもよく、モニターＡ１０２の筐体とは別体であっても良い。
【００２６】
図２は実施例１のネットワークにおける通信処理の推移と通信処理の際の表示画面のフローの第1の例である。特に明言のない場合を除き、ハードディスクレコーダー１０１の通信処理は、制御部１１１の制御の下で行われ、モニターＡ１０２の通信処理は、コントローラー１１５の制御により行われる。モニターＢ１０３、モニターＣ１０４は、モニターＡ１０２と同様である。
【００２７】
図２において、２０１はモニターＡ１０２の通信処理の推移及び通信処理の際の表示画面、２０２はハードディスクレコーダー１０１の通信処理の推移と通信処理の際の表示画面、２０３はハードディスクレコーダー１０１と既に接続を確立し、ハードディスクレコーダー１０１からＡＶデータを受信して表示部にＡＶデータを表示させているモニターＢ１０３及びモニターＣ１０４の通信処理の推移と通信処理の際の表示画面を示す。
【００２８】
ハードディスクレコーダー１０１とモニターＢ１０３及びモニターＣ１０４がすでに接続し、通信状況の公開の許可設定をモニター内の管理部で設定し、ＡＶデータの再生を行っているとき（ステップＳ１）、モニターＡ１０２は、装置２０２に接続要求を送信する（ステップＳ２）。その際、ハードディスクレコーダー１０１内の制御部１１１が接続の限界を超えていないと判断した場合、ハードディスクレコーダー１０１から接続ＯＫの旨の通知をモニターＡ１０２に送信し（ステップＳ３）、モニターＡ１０２は、コントローラー１１５の制御により表示部１１８に画面２０４を表示する。
【００２９】
モニターＡ１０２のユーザは、画面２０４を見て、「１：ＯＫ」か「２：キャンセル」を、入力部１１９を操作することにより選択する。「２：キャンセル」を選択した場合、ステップＳ４に進み、モニターＡ１０２は、コントローラー１１５の制御の下、表示部１１８に確認画面２０７を表示する。
【００３０】
モニターＡ１０２のユーザは、画面２０７を見て、「３：ＯＫ」か「４：キャンセル」を、入力１１９を操作することにより選択する。「３：ＯＫ」を選択した場合、モニターＡ１０２のコントローラー１１５は接続の終了を行う（ステップＳ５）。「４：キャンセル」を選択した場合、画面２０４に戻り（ステップＳ６）、ユーザは入力部１１９を操作して再度選択をし直す。
【００３１】
ユーザがモニターＡ１０２の画面２０４を見て「１：ＯＫ」を選択した場合、モニターＡ１０２からハードディスクレコーダー１０１の制御部１１１に接続の開始を通知する。また、ハードディスクレコーダー１０１を経由して、モニターＢ１０３、モニターＣ１０４に接続端末数の増加通知を送信し、表示部に画面２０５を表示する（ステップＳ８）。モニターＢ１０３、モニターＣ１０４は、コントローラーの制御の下、自身が持つ表示部に画面２０５を表示する。また、ハードディスクレコーダー１０１は、ＨＤＤ１１２に記録されているＡＶデータの種類をモニターＡ１０２に送信し（ステップＳ９）、モニターＡ１０２は受信したＡＶデータの種類を画面２０６に表示する。
【００３２】
モニターＡ１０２のユーザは、画面２０６を見て、所望のＡＶデータ再生プログラムを入力部１１９を用いて入力する。モニターＡ１０２は、入力されたプログラムをハードディスクレコーダー１０１に送信すると、ハードディスクレコーダー１０１から入力されたプログラムに応じたＡＶデータをモニターＡ１０２に送信し、両者の接続が開始する（ステップＳ１０）。
【００３３】
図３は実施例１のネットワークにおける通信処理の推移と通信処理の際の表示画面のフローの第２の例である。特に明言のない場合を除き、ハードディスクレコーダー１０１の通信処理は、制御部１１１の制御の下で行われ、モニターＡ１０２の通信処理は、コントローラー１１５の制御により行われる。モニターＢ１０３、モニターＣ１０４は、モニターＡ１０２と同様である。
【００３４】
図３において、３０１はモニターＡ１０２の通信処理の推移及び通信処理の際の表示画面、３０２はハードディスクレコーダー１０１の通信処理の推移と通信処理の際の表示画面、３０３はハードディスクレコーダー１０１と既に接続を確立し、ハードディスクレコーダー１０１からＡＶデータを受信して表示部にＡＶデータを表示させているモニターＢ１０３及びモニターＣ１０４の通信処理の推移と通信処理の際の表示画面を示す。
【００３５】
ハードディスクレコーダー１０１とモニターＢ１０３、モニターＣ１０４がすでに接続し、通信状況の公開の許可設定をモニター内の管理部で設定し、ＡＶデータの再生を行っているとき（ステップＳ１１）、モニターＡ１０２のユーザは、入力部１１９を操作することによりハードディスクレコーダー１０１に接続要求を送信する。ハードディスクレコーダー１０１にモニターＡ１０２を接続することによりハードディスクレコーダー１０１の処理能力を超えてしまう場合、制御部１１１の制御により、ハードディスクレコーダー１０１は、ＢＵＳＹ通知をモニターＡ１０２に送信する（ステップＳ１３）。
【００３６】
ＢＵＳＹ通知を受けたモニターＡ１０２は、コントローラー１１５の制御の下、表示部１１８に画面３０４を表示する。ハードディスクレコーダー１０１への接続がハードディスクレコーダー１０１の処理能力を超えるために接続拒否されたため、モニターＡ１０２のユーザは、表示画面３０４を見て、入力部１１９を操作することにより「１：終了」、「２：閲覧」、「３：交渉」を選択する。
【００３７】
モニターＡ１０２のユーザが「１：終了」を選択した場合、ハードディスクレコーダー１０１への接続の終了処理を行う（ステップＳ１４）。
【００３８】
モニターＡ１０２のユーザが「２：閲覧」を選択した場合、モニターA１０２は「２：閲覧要求」をハードディスクレコーダー１０１を介してモニターＢ１０３、モニターＣ１０４に送信する（ステップＳ１５）。閲覧要求を受けた、モニターＢ１０３、モニターＣ１０４はコントローラーの制御の下、管理部に管理されている公開情報をモニターA１０２に返信する（ステップＳ１６）。モニターA１０２は返信情報を受け、コントローラー１１５の制御の下、表示部１１８にモニターB１０３およびモニターC１０４の記録データの再生の順番、接続時間、接続予想時間、再生状況等の情報を示す画面３０５を表示部１１８に表示する。モニターＡ１０２のユーザは、表示画面３０５を見て、入力部１１９を操作することにより、モニターB１０３、モニターC１０４のいずれかの再生の状態と全く同じ状態で接続を行うか、「４：終了」、「５：交渉」を選択する。
【００３９】
モニターＡ１０２のユーザが「４：終了」を選択した場合は画面３０４の「１：終了」を選択した場合と同様の処理を行う（ステップＳ２０）。
【００４０】
モニターＡ１０２のユーザが入力部１１９の操作により「３：交渉」もしくは「５：交渉」を選択した場合、交渉要求を、ハードディスクレコーダー１０１を介してモニターＢ１０３、モニターＣ１０４に送信する（ステップＳ１７、Ｓ１９、ステップＳ２０）。交渉要求を受けたモニターＢ１０３、モニターＣ１０４は、コントローラーの制御の下、表示部に画面３０６を表示する。モニターＢ１０３、モニターＣ１０４のユーザは、画面３０６を見て「６：許可」か「７：拒否」を選択する。モニターＢ１０３、モニターＣ１０４のユーザが操作部を操作して「６：許可」を選択した場合、モニターＢ１０３、モニターＣ１０４、モニターD１０５は、ハードディスクレコーダー１０１を介してモニターＡ１０２に許可通知を送信する（ステップＳ２１、ステップＳ２２）。許可通知を受けたモニターＡ１０２は、コントローラーの制御の下、表示部１１８に画面３０７を表示する。そして、モニターＡ１０２と許可通知を出したモニターとの間で、互いに入力部によってユーザの意思を入力することによって交渉を開始する（ステップＳ２３、ステップＳ２４）。
【００４１】
交渉により交渉要求を許可したモニターのユーザがＡＶデータの出力停止、ＡＶデータの画質を下げる等の再生状況（通信状況）の変更を認めた場合には、その通信状況の変更を、交渉要求を許可したモニターからハードディスクレコーダー１０１に通知する。また、交渉要求を受けたモニターの再生状況（通信状況）の変更に伴い、モニターＡ１０２からハードディスクレコーダー１０１に、ハードディスクレコーダー１０１から受け取りたいＡＶデータの種類、画質等の再生状況（通信状況）の情報を通知する。通知を受けたハードディスクレコーダー１０１の制御部１１４は、管理部１１５で管理されている再生状況（通信状況）の内容を更新する。そして、ハードディスクレコーダー１０１は、送信された再生プログラムに基づいてＡＶデータをモニターＡ１０２に送信する。このようにしてモニターＡ１０２とハードディスクレコーダー１０１の接続が開始される。
【００４２】
実施例１によれば、通信状況を閲覧・通知可能となり、この通信状況に基づいてコミュニケーションを図ることにより、使い勝手が向上する。
【実施例２】
【００４３】
図４は本実施例の監視ネットワークの構築例を示す図である。
【００４４】
図４において、４０１は通信の主となる通信機能を有する記録装置、４０２は装置４０１に接続可能な通信機能を有するカメラＡ、４０３・４０４は装置４０２と同様の機能を持つカメラＢ、Ｃ、４０４−４０６は装置４０２−４０４と装置４０１を接続する通信路である。また、４０７は装置４０１の記録部、４０８は装置４０１の制御を行う制御部、４０９は装置４０１が複数の装置と接続し、記録データの受信を行い、装置間の通信が可能な通信インターフェイス、４１０は装置４０２から記録データを装置４０１に送信し、装置間の通信が可能な通信インターフェイス、４１１は人工知能機能を格納している知能部、４１２はカメラＡ４０２の記録状況、位置情報等の管理データを管理している管理部、４１２は記録部、４１３はメモリ部、４１４は記録している映像を処理する映像処理部、４１５は装置４０２が撮像し記録するデータ入力部である。
【００４５】
記録装置４０１は通信機能を有しており、制御を行いながら複数のカメラを通信インターフェイス４０９を介して、接続させ、通信可能である。カメラＡ４０２、カメラＢ４０３、カメラＣ４０４は通信インターフェイス４０９と通信インターフェイス４１０と通信路４０４、４０５及び４１６を介して接続されており、撮像したデータを記録装置４０１に送って記録部４０７に記録する。
【００４６】
カメラＡ４０２には知能部４１１が搭載されており、自らの判断で撮像対象を判断し、制御部４１３に働きかけることで、状況に応じて撮像物体や撮像方向等を変更することが可能である。この撮像状況を管理部４１２で常時管理しておき、通信インターフェイス４１０を介して他のカメラから閲覧可能となっている。また、知能部４１１があることにより、記録装置４０１に接続しているカメラＢ４０３、カメラＣ４０４を識別することが可能である。カメラＢ４０３、カメラＣ４０４もカメラＡ４０２と同様の構成である。
【００４７】
各カメラが撮像を行っており、監視を行っている際、最初にカメラＡ４０２がイベントの発生に気がつき、そのイベント発生の撮像を行うように撮像状況の変更を行った場合、カメラＡ４０２がイベント発生前に撮像していた空間をカメラＢ４０３、カメラＣ４０４の知能部が装置４０２の撮像状況を常に把握している。従って、カメラＡ４０２の状況変更に伴い、各カメラ間で撮像状況を把握し、カメラＢ４０３、カメラＣ４０４の撮像範囲を撮像モードを広角撮影に変更するなどモード変更や撮像方向の変更を行い、イベント発生前にカメラＡ４０２で撮像していた空間の監視をフォローすることが可能である。このように、各カメラはその時々の状況変化に応じて撮像状況を相互に変更することが可能となる。
【００４８】
各カメラが撮像を行い、記録装置４０１にデータの記録を行っている際、記録装置４０１に異常事態が発生し、記録データの制御ができなくなった際においても、各カメラはそれらの状況を記録装置４０１の制御部４０８から受け、記録データをカメラが持つ記録部に記録する等の状況変更を行うことが可能である。
【００４９】
本実施例によれば、記録装置４０１の記録部４０７に各カメラで撮像した重複した内容のデータなどの余分なデータを削減して記録することや、少ないカメラでの監視ネットワークの構成が可能となり、カメラの台数の削減や、記録装置４０１の有効な利用を提供することが可能となる。
【図面の簡単な説明】
【００５０】
【図１】本発明における実施例１の構成図
【図２】本発明における通信の処理の表示画面のフローの一例
【図３】本発明における通信の処理の表示画面のフローの一例
【図４】本発明における実施例２の構成図
【符号の説明】
【００５１】
１０１  ハードディスクレコーダー
１０２、１０３，１０４  モニター
１０５  アンテナ・チューナー
１０６、１０７、１０８、１０９  通信路
１１０、１１３、１１５  通信インターフェイス
１１１  制御部
１１２  ＨＤＤ
１１５  コントローラー
１１６  管理部
１１７  出力部
１１８  表示部
４０１  記録装置
４０２、４０３、４０４  カメラ
４０５、４０６、４１６  通信路
４０７  記録部
４０８  制御部
４０９、４１０  通信インターフェイス
４１１  知能部
４１２  管理部
４１３  メモリ部
４１４  映像処理部
４１５  入力部
【図１】
2005277622.tif 000003
【図２】
2005277622.tif 000004
【図３】
2005277622.tif 000005
【図４】
2005277622.tif 000006